(57)【特許請求の範囲】
【請求項１】
複数種の円筒状のコインチューブが複数隣接して搭載されたコイン収納器をコイン処理装置本体に着脱自在に取り付けるとともに、該コイン処理装置本体に該コイン収納器が装着されたか否かを検知する検知スイッチを有するコイン処理装置において、
前記コイン収納器の仕様が前記コイン処理装置本体に対応するか否かを検知するよう前記検知スイッチを少なくとも１個設け、前記コイン収納器の隣接する所定のコインチューブ間には該コイン収納器の仕様に対応する該各検知スイッチが選択されるよう被検知部材を一体成形した
ことを特徴とするコイン処理装置。
【請求項２】
前記各検知スイッチを釣銭払い出し装置の配線基板に設けたことを特徴とする請求項１記載のコイン処理装置。
【請求項３】
前記各検知スイッチは該配線基板に略水平に並んで配置されたことを特徴とする請求項２記載のコイン処理装置。
【請求項４】
前記被検知部材は前記配線基板と対向する前記コイン収納器の外面に略水平に配設されたことを特徴とする請求項３記載のコイン処理装置。
【発明の詳細な説明】
【０００１】
【発明の属する技術分野】
本発明は、自動販売機等に内蔵されたコイン処理装置であり、特にコイン収納器の装着検知構造に関するものである。
【０００２】
【従来の技術】
従来、この種のコイン処理装置においてコインが投入されたときは、コイン識別部でコインの正偽及び金種を判定し、金種毎にコインを振り分け、これを金種毎に各コインチューブに収納する。
【０００３】
これらのコインチューブはコイン収納器にユニット化されて一体に搭載され、コインチューブへのコイン補充作業やコイン詰まり等の不具合を解消する際は、コイン収納器全体をコイン処理装置本体の前面から外し、また、コイン補充作業等が終了したときは、コイン収納器全体をコイン処理装置本体の前面側から嵌め込みコイン処理装置本体に装着している。また、コイン収納器の着脱を検知する手段として検知スイッチがコイン処理装置本体に設置されており、コイン収納器が外れているときはコイン収納処理を禁止し、一方、コイン収納器がコイン処理装置本体に装着されているときは、コイン収納処理を実行するよう構成されている。
【０００４】
【発明が解決しようとする課題】
このように、従来のコイン処理装置はコイン収納器がコイン処理装置本体の着脱を検知スイッチで検知し、コイン処理の実行及び禁止を制御している。
【０００５】
ところで、近年は、コイン処理装置本体を共通化し、そこに搭載されるコイン収納器については、収納コイン種が相違するものや、コイン種の配列が相違するものなど、仕様が異なるものが各種ある。一方、これらのコイン収納器の外観はほぼ類似したものとなっているため、誤って仕様が異なるコイン収納器が装着されてしまう場合がある。このとき、検知スイッチはコイン収納器の装着の有無を判断するだけで、コイン収納器が所望の仕様となっているか否かを判断する構造となっていないため、コイン収納器が装着されたときは、直ちにコイン処理の実行を指示することとなり、コイン収納器の誤装着を回避することができなかった。
【０００６】
本発明の目的は前記従来の課題に鑑み、コイン収納器の誤装着を防止することができるコイン処理装置を提供することにある。
【０００７】
【課題を解決するための手段】
本発明は前記課題を解決するため、請求項１の発明は、複数種の円筒状のコインチューブが複数隣接して搭載されたコイン収納器をコイン処理装置本体に着脱自在に取り付けるとともに、コイン処理装置本体にコイン収納器が装着されたか否かを検知する検知スイッチを有するコイン処理装置において、コイン収納器の仕様がコイン処理装置本体に対応するか否かを検知するよう検知スイッチを少なくとも１個設け、コイン収納器の隣接する所定のコインチューブ間にはコイン収納器の仕様に対応する各検知スイッチが選択されるよう被検知部材を一体成形した構造となっている。
【０００８】
本発明によれば、被検知部材はコイン収納器の仕様に対応する検知スイッチをオンする。ここで、コイン処理装置の仕様がコイン収納器の仕様と対応しないときは、コイン処理装置のコイン処理を実行させないようにできる。一方、両者の仕様が対応するときは、コイン処理を実行させることができる。また、被検知部材はコイン収納器と一体に設けられているため、部品点数及び組み付け工数を減らすことができる。
【０００９】
請求項２の発明は、請求項１のコイン処理装置において、検知スイッチを釣銭払い出し装置の配線基板に設置した構成となっているので、検知スイッチのリード線と釣銭払い出し装置のリード線が同一の配線基板に接続され、配線基板が共用されるため、電気配線の引き回しが簡単になる。
【００１０】
請求項４の発明の如く、被検知部材の設置位置は配線基板と対向するコイン収納器の外面とするのがよい。
【００１１】
また、請求項３及び請求項４の如く、各検知スイッチ及び被検知部材をそれぞれ対向するよう略水平に配置しているため、例えばコイン収納器を下端を軸として回転してコイン処理装置本体に装着する際などは、被検知部材が各検知スイッチに対して等しく接近・接触することとなり、各検知スイッチの検知精度が向上する。
【００１２】
【発明の実施の形態】
図１乃至図８は本発明に係るコイン処理装置の一実施形態を示すもので、図１はコイン処理装置の外観斜視図、図２はコイン収納器の着脱状態を示す斜視図、図３はコイン収納器と釣銭払い出し装置との接続状態を示す側面図、図４は図１のＡ−Ａ線矢視方向断面図、図５は被検知部材を示す斜視図、図６の(a)(b)は配線基板及び検知スイッチの設置状態図、図７は２個の検知スイッチをオンするコイン収納器の突起を示す平面図、図８は３個の検知スイッチをオンするコイン収納器の突起を示す平面図である。
【００１３】
まず、自動販売機に内蔵されているコイン処理装置の概要を図１を参照して説明する。コイン処理装置の筐体を構成するコイン処理装置本体１０の内部にはその上部にコイン投入口１０１を有し、このコイン投入口１０１を通じてコインを導入する。この導入されたコインは、コイン投入口１０１の下部に配置されたコイン識別部（図示しない）で正偽及び金種が判定される。このコイン識別部で偽貨と判定されたものは、返却通路を通じて自動販売機の返却口（図示しない）に返却される。一方、正貨と判定されたコインはコイン識別部の下方に配置されたコイン収納器２０の後述するコインチューブに案内され、これに積み重ねながら収納される。また、コインチューブに収納されたコインは釣銭コインとして利用され、釣銭を払い出すときは釣銭払い出し装置３０（図４参照）が駆動し、コインチューブ内の釣銭をボトムベース１０２を通じて返却口に返却される。
【００１４】
上記コイン収納器２０は図２乃至図４に示すように偏平形状を呈しているもので、前面の蓋体２０１と後面側のチューブ本体２０２とを重ね合わせて形成し、全体が図２に示すようにコイン処理装置本体１０の後面開口からコイン処理装置本体１０の両側板１０３間に嵌め込み自在となっている。ここで、コイン収納器２０をコイン処理装置本体１０に嵌め込むときは、まず、コイン収納器２０の下端をコイン処理装置本体１０に嵌め込み、コイン収納器２０の下端を軸としてコイン処理装置本体１０に向かって回動し、コイン処理装置本隊１０内に収納する。また、コイン収納器２０の後面は、図３及び図４に示すように、釣銭払い出し装置３０の前面と対向するよう配置されている。なお、図３はコイン収納器２０と釣銭払い出し装置３０との対向状態を側面から見た外観を示している。
【００１５】
このコイン収納器２０のチューブ本体２０２は、図４に示すように、左右に複数のコインチューブ２０３ａ〜２０３ｅが配置されており、左から５００円コイン用、５０円コイン用、１０円コイン用、第１の１００円コイン用、第２の１００円コイン用となっている。コイン投入口１０１から投入された５００円，１００円，５０円，１０円の各コインはそれぞれ対応するコインチューブ２０３ａ〜２０３ｅに振り分けられ、所定の各コインチューブ２０３ａ〜２０３ｅに収納される。なお、１００円コインが投入されたときは、まず、第１の１００円コイン用のコインチューブ２０３ｄに１００円コインが収納され、第１のコインチューブ２０３ｄが満杯となったとき、第２のコインチューブ２０３ｅに１００円コインが収納されるようになっている。
【００１６】
以上のように構成されたコイン収納器２０において、チューブ本体２０２の裏面には被検知部材、例えば後方に向かって略水平に突出した突起２０４が形成されている。この突起２０４をチューブ本体２０２の裏面側から見た状態を示す図５を参照して説明する。この突起２０４は１０円コイン用のコインチューブ２０３ｃと第１の１００円コイン用のコインチューブ２０３ｄとの間に形成されたもので、その基部２０４ａを各コインチューブ２０３ｃ，２０３ｄ間に一体に形成する一方、この基部２０４ａの上部から外方向に突出するよう略直方体形状の検知体２０４ｂがこれまた一体に略水平に形成されている。
【００１７】
一方、このコイン収納器２０と対向する釣銭払い出し装置３０は、図３及び図４に示すように、駆動源であるモータ３０１を有し、図６の(a)(b)に示すように、このモータ３０１のケース体３０１ａに配線基板３０２が設置されている。この配線基板３０２は釣銭払い出し装置３０のモータ３０１用や図示しないソレノイド用等となっており、本実施形態ではこれに加えて、検知スイッチ４０１，４０２，４０３の設置・配線基板として用いている。即ち、各検知スイッチ４０１〜４０３は、図４に示すように、コイン収納器２０のチューブ本体２０２の裏面と対向するよう略水平に並んで配置されており、検知スイッチ４０１〜４０３のうち、右側の検知スイッチ４０１のアクチュエータ４０１ａが突起２０４の検知体２０４ｂに対応している。従って、コイン収納器２０をコイン処理装置本体１０内に装着するときは、図４に示すように、検知体２０４ｂが検知スイッチ４０１のアクチュエータ４０１ａを押し、検知スイッチ４０１をオンすることとなる。
【００１８】
この検知スイッチ４０１，４０２，４０３において、検知スイッチ４０１のみがオンするときは、例えば前記の如く、５００円〜１０円の全てを自動的にコインチューブ２０３ａ〜２０３ｅに収納する仕様となっているコイン収納器２０であることを検知する。また、検知スイッチ４０１及び検知スイッチ４０２がオンするときは、例えば各コインチューブ２０３ａ〜２０３ｅのうち、第２の１００円コインチューブ２０３ｅが手操作で１００円コインを補給する仕様のコイン収納器であることを検知する。更に、各検知スイッチ４０１，４０２，４０３が全てオンするときは、例えば第２の１００円コインチューブ２０３ｅがない仕様、即ち、４個のコインチューブ２０３ａ〜２０３ｄのコイン収納器であると検知するよう設定されている。
【００１９】
本実施形態によれば、コイン収納器２０の突起２０４が、図４に示すように、検知スイッチ４０１のみをオンするときは、前述の如く、５００円〜１０円の全てを自動的にコインチューブ２０３ａ〜２０３ｅに収納する仕様（第１仕様）となっているコイン収納器２０であることが検知される。ここで、コイン処理装置の制御がこの仕様を満足するよう設定されているときは、コインを受け入れ、コイン処理を実行する。
【００２０】
また、図７に示すように、コイン収納器２０ａの突起２０５が検知スイッチ４０１，４０２をオンする仕様のときは、各コインチューブ２０３ａ〜２０３ｅのうち、第２の１００円コインチューブ２０３ｅが手操作で１００円コインを補給する仕様（第２仕様）のコイン収納器であることを検知する。ここで、コイン処理装置の制御が前述の第１仕様を設定しているときは、コイン収納器２０ａが誤装着であると判定し、コイン処理を拒否するよう制御する。具体的には投入コインを全て返却口に返却するよう制御する。
【００２１】
更に、図８に示すように、コイン収納器２０ｂの突起２０６が検知スイッチ４０１，４０２，４０２の全てをオンする仕様のときは、第２の１００円コインチューブ２０３ｅがない仕様（第３仕様）、即ち、４個のコインチューブ２０３ａ〜２０３ｄのコイン収納器２０ｂが検知される。ここで、コイン処理装置の制御が前述の第１仕様又は第２仕様を設定しているときは、コイン収納器２０ａが誤装着であると判定し、これまた、コイン処理を拒否するよう制御する。
【００２２】
このように、コイン収納器２０，２０ａ，２０ｂがコイン処理装置本体１０に装着された際、コイン収納器２０，２０ａ，２０ｂの装着を検知するとともに、仕様が合わないコイン収納器２０，２０ａ，２０ｂを検知することができる。
【００２３】
また、検知スイッチ４０１，４０２，４０３は釣銭払い出し装置３０の配線基板３０２に共用して設置されているため、検知スイッチ４０１，４０２，４０３のリード線と釣銭払い出し装置のリード線が同一の配線基板３０２に接続され、電気配線の引き回しが簡単になるし、また、部品点数も少なくて済み、組み付け性も向上する。
【００２４】
更に、検知スイッチ４０１，４０２，４０３が略水平に配置され、また、コイン収納器２０の外面には略水平の検知体２０４ｂを備えた突起２０４を有するため、コイン収納器２０を回動してコイン処理装置本体１０に装着する際、検知体２０４ｂが各検知スイッチ４０１，４０２，４０３に対して等しく接近・接触することとなり、各検知スイッチ４０１，４０２，４０３の検知精度が向上する。
【００２５】
なお、コイン収納器２０，２０ａ，２０ｂが誤装着された場合は、図示しないエラーランプを点滅させたり、或いは、警報ブザーを鳴らし、オペレータに誤装着を告知するようにしても良い。また、前記実施形態では、検知スイッチ４０１がオンしたとき、検知スイッチ４０１，４０２がオンしたとき、検知スイッチ４０１，４０２，４０３の全てがオンしたときの３種類を掲げているが、検知スイッチ４０１，４０３がオンしたとき、検知スイッチ４０２，４０３がオンしたとき、検知スイッチ４０２のみがＯＮしたとき、検知スイッチ４０３のみがＯＮしたときもその仕様を判定できるようにしておくことにより、全部で７種類のコイン収納器を判定することができる。勿論、この検知スイッチ４０１，４０２，４０３の個数を多くするときは、その仕様判定も更に増加する。
【００２６】
【発明の効果】
以上説明したように、本発明によれば、コイン収納器が装着されたか否か検知することはもとより、コイン収納器の仕様がコイン処理装置の仕様に対応するか否かも検知することができる。また、被検知部材をコイン収納器と一体に設けているため、部品点数及び組み付け工数を減らすことができる。
【００２７】
また、検知スイッチを釣銭払い出し装置の配線基板に設置するときは、検知スイッチのリード線と釣銭払い出し装置のリード線が同一の配線基板に接続され、配線基板が共用されるため、電気配線の引き回しが簡単になるし、また、部品点数も少なくて済み、組み付け性も向上する。
【００２８】
更に、各検知スイッチと被検知部材をそれぞれ対向するよう略水平に配置しているため、コイン収納器とコイン処理装置本体に装着する際、被検知部材が各検知スイッチに対して等しく接近・接触することとなり、各検知スイッチの検知精度が向上する。
【図面の簡単な説明】
【図１】本発明に係るコイン処理装置の外観斜視図
【図２】コイン収納器の着脱状態を示す斜視図
【図３】コイン収納器とコイン払出装置との接続状態を示す側面図
【図４】図１のＡ−Ａ線矢視方向断面図
【図５】被検知部材を示す斜視図
【図６】配線基板及び検知スイッチの設置状態図
【図７】２個の検知スイッチをオンするコイン収納器の突起を示す平面図
【図８】３個の検知スイッチをオンするコイン収納器の突起を示す平面図
【符号の説明】
１０…コイン処理装置本体、２０，２０ａ，２０ｂ…コイン収納器、３０…釣銭払い出し装置、２０３ａ〜２０３ｅ…コインチューブ、２０４，２０５，２０６…突起、３０２…配線基板、４０１，４０２，４０３…検知スイッチ。
【図１】
0004689868.tif 000002
【図２】
0004689868.tif 000003
【図３】
0004689868.tif 000004
【図４】
0004689868.tif 000005
【図５】
0004689868.tif 000006
【図６】
0004689868.tif 000007
【図７】
0004689868.tif 000008
【図８】
0004689868.tif 000009